(57)【特許請求の範囲】
【請求項１】
基端部位が円筒形をなし先端部位が花びら形をなすレンズフードを、カメラにおける撮影レンズ鏡筒に対し、バヨネット機構を介して着脱自在に装着可能な如く設けられたカメラのレンズフード装置であって、
前記バヨネット機構は、前記撮影レンズ鏡筒の先端部位に円周方向に沿って形成された複数の鏡筒側係合部と、
これらの鏡筒側係合部とそれぞれ係合可能な如く、前記レンズフードの基端部位に円周方向に沿って形成された複数のフード側係合部とからなり、
互いに緊密に係合し合う前記鏡筒側係合部と前記フード側係合部とのペアのうち、一つのペアにおける前記撮影レンズ鏡筒の光軸方向の係合寸法が、他のペアにおける当該光軸方向の係合寸法とは異なる値に設定されていることを特徴とするカメラのレンズフード装置。
【請求項２】
前記鏡筒側係合部と前記フード側係合部とのペアは、係合爪と係合溝との組み合わせにより構成されていることを特徴とする請求項１に記載のカメラのレンズフード装置。
【請求項３】
前記鏡筒側係合部と前記フード側係合部との間に、クリック機構が設けられていることを特徴とする請求項１又は２に記載のカメラのレンズフード装置。
【請求項４】
前記レンズフードにおける花びら形をなす先端部位の端面にエッジ部が形成され、このエッジ部を境界として前記レンズフードの外周面側に外装用塗装が施され内周面側に艶消し塗装が施されていることを特徴とする請求項１又は２又は３に記載のカメラのレンズフード装置。
【請求項５】
前記エッジ部は、尖鋭部が前記レンズフードの内周面上に位置する如く、前記端面を傾斜面としたものであることを特徴とする請求項４に記載のカメラのレンズフード装置。
【発明の詳細な説明】
【０００１】
【発明の属する技術分野】
本発明は、レンズ画角以外からの有害光を遮蔽するために、有害光遮蔽用のレンズフードを、カメラの撮影レンズ鏡筒の先端部位に対して着脱自在に装着可能としたカメラのレンズフード装置に関する。
【０００２】
【従来の技術】
カメラで撮影を行なう際、正規のレンズ画角以外の領域に、たとえば太陽や蛍光ランプなどの光源が存在すると、これらの光源からの光が有害光として撮影レンズから侵入し、撮影画像にゴーストやフレアを生じさせる原因となる。このようなレンズ画角以外からの有害光を遮蔽するために、撮影レンズ鏡筒の先端部位には、必要に応じて有害光遮蔽用のレンズフードが装着される。
【０００３】
上記レンズフードの中には、前記有害光のみを遮断し、撮影に必要な光は十分取り込めるように、フード先端部位を花びら形に形成した花びら形レンズフードがある（特開平１１―４４９０４号公報参照）。
【０００４】
一方、レンズフードをカメラにおける撮影レンズ鏡筒の先端部位に対して着脱自在に装着する手段として、いわゆるバヨネット機構が多用されている。このバヨネット機構は、基本的には、撮影レンズ鏡筒の先端部外周面に円周方向へ所定間隔で配設した複数の係合部たとえば係合爪と、この係合爪と係合可能な如く、レンズフードの基端部内周面に円周方向へ所定間隔で配設した複数の係合部たとえば係合溝とを備えている（特開平０６−１３０４６６号公報参照）。
【０００５】
従って、レンズフードを着脱操作するには、撮影レンズ鏡筒に対し、レンズフードを次の如く直進操作および回動操作を行なうだけでよい。すなわち、レンズフードを撮影レンズ鏡筒に装着する場合には、レンズフードを撮影レンズ鏡筒の光軸に沿って前進させ、その基端部を撮影レンズ鏡筒の先端部に対して嵌め込み操作し、しかる後、右方向または左方向へ回動操作することにより、係合爪と係合溝とを係合させる。またレンズフードを取り外す場合には、レンズフードを左方向または右方向へ回動操作して係合爪と係合溝との係合を解き、しかる後、レンズフードを撮影レンズの光軸に沿って後退させることにより取り外す。
【０００６】
かくして、レンズフードの着脱操作を行なうに際しては、撮影レンズ鏡筒の光軸方向への直進操作と同光軸を中心とする円周方向への回動操作との組み合わせ操作を行なうことによって、係合爪と係合溝との係合または離脱を行なわせ、これにより撮影レンズ鏡筒に対するレンズフードの着脱操作を簡単に行なうことができる。
【０００７】
【発明が解決しようとする課題】
先端部位が花びら形をなすように形成された花びら形レンズフードを、バヨネット機構を用いて撮影レンズ鏡筒の先端部位に着脱自在に装着するようにした従来のレンズフード装置には、次のような問題がある。
【０００８】
撮影レンズ等の光学系を介して得られる画面は、通常の場合、横長の画面となる。したがって、これに対応して花びら形レンズフードにおける上下一対の花びら部片と、左右一対の花びら部片とは、異なった形状およびサイズに形成されている。すなわち、上下に対向して同一形状に形成される一対の花びら部片は、幅および長さが共に比較的大きく形成される。これに対し、左右に対向して同一形状に形成される一対の花びら部片は、幅および長さが共に比較的小さく形成される。
【０００９】
したがって撮影レンズ鏡筒に対する、花びら形レンズフードの取り付け回転角度は、メガホン型をなす一般的なレンズフード等に比べて、より厳格に特定する必要がある。特に係合爪と係合溝とのペア数が三つ以上になった場合に、レンズフードの装着ミスが発生するおそれがある。
【００１０】
すなわち係合爪および係合溝のペアが、例えば１２０°の間隔で三組設けられている場合には、正規のものを含めて三つの取り付け態様が生じる。したがってレンズフードが間違った態様で取り付けられ、そのままの状態で撮影が行なわれてしまうおそれがある。
【００１１】
この点、係合爪および係合溝のペアが、例えば１８０°異なる位置に二組設けられている場合には、撮影レンズ鏡筒に対する花びら形レンズフードの取り付け回転角度がたとえ逆になっても、花びら形レンズフードは上下及び左右の花びら部片が反対側に移動するだけで、有害光の遮蔽機能の点では格別の支障は生じない。
【００１２】
しかし係合爪および係合溝のペアを二組だけ設けた場合には、レンズフードと撮影レンズ鏡筒との結合状態が不安定になる可能性が高い。したがって両者間の結合強度を高めると共にガタツキを小さくする必要があり、そのために係合爪および係合溝のサイズを相当大きなものにすることが要求される。しかるに係合爪は、通常の場合、撮影レンズ鏡筒の先端部位に設けられるので、上記係合爪のサイズが大きくなると、撮影レンズ鏡筒としての見栄えが悪くなり、カメラ全体としてもデザイン上の外観不良を招く。
【００１３】
本発明の目的は、下記のような利点を有するカメラのレンズフード装置を提供することにある。
【００１４】
（ａ）係合爪のサイズが小さく、カメラの外観不良をきたすおそれがない。
【００１５】
（ｂ）撮影レンズ鏡筒に対するレンズフードの装着ミスを未然に防止できる。その結果、レンズフードが間違った態様で装着されたまま撮影が行なわれるおそれがない。
【００１６】
【課題を解決するための手段】
前記課題を解決し目的を達成するために、本発明のカメラのレンズフード装置は下記の如く構成されている。
【００１７】
（１）本発明のカメラのレンズフード装置は、
基端部位が円筒形をなし先端部位が花びら形をなすレンズフードを、カメラにおける撮影レンズ鏡筒に対し、バヨネット機構を介して着脱自在に装着可能な如く設けられたカメラのレンズフード装置であって、
前記バヨネット機構は、前記撮影レンズ鏡筒の先端部位に円周方向に沿って形成された複数の鏡筒側係合部と、これらの鏡筒側係合部とそれぞれ係合可能な如く、前記レンズフードの基端部位に円周方向に沿って形成された複数のフード側係合部とからなり、互いに緊密に係合し合う前記鏡筒側係合部と前記フード側係合部とのペアのうち、一つのペアにおける前記撮影レンズ鏡筒の光軸方向の係合寸法が、他のペアにおける当該光軸方向の係合寸法とは異なる値に設定されていることを特徴としている。
【００１８】
（２）本発明のカメラのレンズフード装置は、前記（１）に記載のレンズフード装置であって、
前記鏡筒側係合部と前記フード側係合部とのペアは、係合爪と係合溝との組み合わせにより構成されていることを特徴としている。
【００１９】
（３）本発明のカメラのレンズフード装置は、前記（１）又は（２）に記載のレンズフード装置であって、
前記鏡筒側係合部と前記フード側係合部との間に、クリック機構が設けられていることを特徴としている。
【００２０】
（４）本発明のカメラのレンズフード装置は、前記（１）又は（２）又は（３）に記載のレンズフードであって、
前記レンズフードにおける花びら形をなす先端部位の端面にエッジ部が形成され、このエッジ部を境界として前記レンズフードの外周面側に外装用塗装が施され内周面側に艶消し塗装が施されていることを特徴としている。
【００２１】
（５）本発明のカメラのレンズフード装置は、前記（４）に記載のレンズフードであって、
前記エッジ部は、尖鋭部が前記レンズフードの内周面上に位置する如く、前記端面を傾斜面としたものであることを特徴としている。
【００２２】
【発明の実施の形態】
「構成」
図１の（ａ）（ｂ）は本発明の一実施形態に係るレンズフード装置を備えた電子カメラの外観を示す図で、（ａ）はレンズフード使用時においてレンズフードが電子カメラの撮影レンズ鏡筒に装着された状態を示す斜視図であり、（ｂ）はレンズフード非使用時においてレンズフードが電子カメラの撮影レンズ鏡筒の外周面上に収納された状態を示す斜視図である。
【００２３】
図２の（ａ）（ｂ）は本発明の一実施形態に係るレンズフード装置におけるバヨネット機構ＢＹの概略的構成を示す図で、（ａ）はレンズフード使用時においてレンズフードが電子カメラの撮影レンズ鏡筒に装着された状態を示す要部断面図であり、（ｂ）はレンズフード非使用時においてレンズフードが電子カメラの撮影レンズ鏡筒に逆向きに収納された状態を示す示す要部断面図である。
【００２４】
図１の（ａ）において、１はカメラ本体であり、レリーズボタン２，ポップアップストロボ３などを備えている。カメラ本体１の前面には撮影レンズ鏡筒１０が取付けられている。この撮影レンズ鏡筒１０は撮影レンズ１１，フォーカスリング１２，ズームリング１３などを備えている。この撮影レンズ鏡筒１０の先端部位１０ａには、後述するバヨネット機構ＢＹを介してレンズフード２０が着脱自在に装着されている。このレンズフード２０は例えば合成樹脂等で一体成形されたものであり、先端部位２０ａが花びら形をなし、基端部位２０ｂが円筒形をなしている。上記レンズフード２０およびバヨネット機構ＢＹは、本発明のレンズフード装置を構成している。
【００２５】
図１の（ａ）および図２の（ａ）に示すように、レンズフード使用時においては、レンズフード２０は撮影レンズ鏡筒１０に対して基端側から嵌め込まれる。このとき撮影レンズ鏡筒１０における先端部位１０ａの外周面に設けてある後述する鏡筒側係合部列Ｋ０（係合爪１５，１６，１７）に対し、レンズフード２０における基端部位２０ｂの内周面に設けてある後述する第１のフード側係合部列Ｋ１（係合溝２５，２６，２７）が係合する。
【００２６】
図１の（ｂ）および図２の（ｂ）に示すように、レンズフード非使用時においては、レンズフード２０は撮影レンズ鏡筒１０に対して先端側から嵌め込まれる。このとき撮影レンズ鏡筒１０における先端部位１０ａの外周面に設けてある後述する鏡筒側係合部列Ｋ０（係合爪１５，１６，１７）に対し、レンズフード２０における基端部位２０ｂの内周面に設けてある後述する第２のフード側係合部列Ｋ２（係合溝２５，２６，２７）が係合する。
【００２７】
なお図２の（ａ）（ｂ）に示すように、第１のフード側係合部列Ｋ１と第２のフード側係合部列Ｋ２との間を仕切っている仕切り壁Ｒの端面と、撮影レンズ鏡筒１０における先端部位１０ａの外周面との間には、クリアランスＣＡが設けられている。このクリアランスＣＡは、後述するクリック機構の動作時において上記先端部位１０ａの弾性変形を許容するためのものである。
【００２８】
図３はレンズフード２０の具体的構造を示す図で、図３の（ａ）は図中上方の一部を破断して示す正面図であり、図３の（ｂ）は上記（ａ）を矢印Ｂの方向から見た図であって図中左半面を切断して示す側面図である。
【００２９】
図４はレンズフード２０の具体的構造を示す図で、図４の（ａ）は図３の（ａ）を矢印Ａの方向から見た図であって図中上半面を切断して示す側面図であり、図４の（ｂ）は図４の（ａ）の一部を切欠し且つ拡大して示す断面図である。
【００３０】
図３の（ａ）（ｂ）及び図４の（ａ）（ｂ）に示すように、レンズフード２０は、前記撮影レンズ１１を含む光学系を介して得られる横長の画面に対応する効率のよい遮光領域が得られるように、同一形状を有する上下一対の花びら部片２１，２２と、同一形状を有する左右一対の花びら部片２３，２４との形状およびサイズが、大きく異なったものとなっている。
【００３１】
すなわち上下に対向して形成された一対の花びら部片２１，２２は、比較的広い範囲の遮光領域が得られるように、その長さＬａおよび幅Ｗａが比較的大きく設定されている。これに対し左右に対向して形成された一対の花びら部片２３，２４は、比較的狭い範囲の遮光領域が得られるように、その長さＬｂおよび幅Ｗｂが比較的小さく設定されている。
【００３２】
前記レンズフード２０における花びら部片２１，２２，２３，２４の端面にはエッジ部Ｅが形成されている。このエッジ部Ｅは、図４の（ｂ）に示す如く、例えばレンズフード２０の外周面側の面取り加工のみを行うことにより、尖鋭部Ｐが前記レンズフード２０の内周面Ｉの近傍に位置するように、前記花びら部片２１，２２，２３，２４の端面を傾斜面Ｔとしたものである。
【００３３】
このエッジ部Ｅを境界として、図４の（ａ）（ｂ）に示す如く、前記レンズフード２０の外周面側には外面処理層ＴＡが形成されており、内周面側には内面処理層ＴＢが形成されている。上記外面処理層ＴＡは、フード外周面に適した例えば滑らかな表面加工を行なった上に、所要の光沢および色彩を有する塗料を用いて外装用塗装を施したものである。また上記内面処理層ＴＢは、フード内周面に適した艶消し加工（例えば波状の凹凸加工）を行なった上に、艶消し用の塗料を用いて艶消し塗装を施したものである。
【００３４】
したがって、前記外面処理層ＴＡにおける外装用塗料と内面処理層ＴＢにおける艶消し用の塗料とは、エッジ部Ｅの尖鋭部Ｐによって分離され、塗料どうしの重なり合いが防止される。このため、塗装むらなどの発生を最小限に抑制することができる。しかも尖鋭部Ｐが前記レンズフード２０の内周面Ｉ上に位置していることから、エッジ部Ｅの存在によってレンズフード２０の遮光機能が損なわれるおそれはない。
【００３５】
図３の（ａ）（ｂ）及び図４の（ａ）に示すように、レンズフード２０の基端部位２０ｂの内周面上には、バヨネット機構ＢＹの一方の構成要素である第１のフード側係合部列Ｋ１及び第２のフード側係合部列Ｋ２とが隣接して平行に設けられている。上記第１のフード側係合部列Ｋ１及び第２のフード側係合部列Ｋ２を構成する各係合溝は、図３の（ａ）に示すように、クリック機構ＣＬの構成要素である突起Ｍ，係合の深さを制限するためのストッパーＳＴ，終端部を延長して形成したスペーサＳＰをそれぞれ有している。これらにつき以下詳述する。
【００３６】
図５の（ａ）（ｂ）はバヨネット機構ＢＹの構成を示す図で、（ａ）は第１のフード側係合部列Ｋ１及び第２のフード側係合部列Ｋ２と、鏡筒側係合部列Ｋ０との関係を示す展開図であり、（ｂ）はフード側係合部である係合溝の一つ２７と鏡筒側係合部である係合爪の一つ１７とが互いに係合し合った状態を正面側からみた部分断面図である。
【００３７】
図５の（ａ）（ｂ）に示すように、前記撮影レンズ鏡筒１０の先端部位１０ａの外周面には円周方向に沿って鏡筒側係合部列Ｋ０の構成要素である長さＶの複数（本実施形態では３個）の係合爪１５，１６，１７が１２０°間隔で形成されている。これらの係合爪１５，１６，１７とそれぞれ係合可能な如く、前記レンズフード２０の基端部位２０ｂの内周面には円周方向に沿って第１のフード側係合部列Ｋ１の構成要素である複数（本実施形態では３個）の係合溝２５，２６，２７が１２０°間隔で形成されている。これら係合溝２５，２６，２７の相互間には長さＳの空きスペースが存在している。
【００３８】
仕切り壁Ｒを隔てた反対側には、第１のフード側係合部列Ｋ１と全く同じ構造に形成された第２のフード側係合部列Ｋ２が、上記Ｋ１とは点対称な位置に設けられている。したがってレンズフード２０の前後の向きを１８０°反転させればＫ１とＫ２とが入れ替わった状態を呈する。なお説明を簡単化するために、以下の係合溝２５，２６，２７に関する説明では、専らＫ１に例を取って説明することにする。
【００３９】
互いに緊密に係合し合う係合爪１５，１６，１７と係合溝２５，２６，２７とのペアのうちの一つのペア、例えば係合爪１７と係合溝２７のペアにおける撮影レンズ鏡筒１０の光軸方向の係合寸法ｔ１（図５の（ａ）では係合爪１７の厚み寸法を図示）が、他のペアにおける当該光軸方向の係合寸法ｔ２（図５の（ａ）では係合爪１６の厚み寸法を図示）とは異なる値に設定されている。図５の例では、ｔ１＜ｔ２に設定されている。
【００４０】
従って係合爪と係合溝とのペアを、１５と２５、１６と２６，１７と２７との組み合わせにしたときに限り、係合爪と係合溝とは係合可能となる。このためレンズフード２０が正しい姿勢で装着されたときにのみ、上記の如く係合が可能となるように予め係合寸法を設定しておけば、レンズフード２０は、常に正しい態様で撮影レンズ鏡筒１０に装着されることになる。なおこの点に関しては動作説明の項でさらに詳しく説明する。
【００４１】
前記係合爪１５，１６，１７と係合溝２５，２６，２７との間には、クリック機構ＣＬが設けられている。このクリック機構ＣＬは、図５の（ｂ）に示されているように撮影レンズ鏡筒１０の係合爪１５，１６，１７の側に窪みＮを設け、レンズフード２０の係合溝２５，２６，２７の側に突起Ｍを設けたものである。かくして、係合爪１５，１６，１７と係合溝２５，２６，２７とが係合完了したとき、突起Ｍが窪みＮに対し衝撃的に「カチッ」と嵌まり込むことになる。このためユーザは係合爪１５，１６，１７と係合溝２５，２６，２７とが係止状態となったことを確認できる。また係合爪１５，１６，１７と係合溝２５，２６，２７との係合が解除されるときは、突起Ｍが窪みＮから衝撃的に離脱することになる。このためユーザは、係合爪１５，１６，１７と係合溝２５，２６，２７との係合解除が開始されたことを確認できる。
【００４２】
「動作」
まずレンズフード２０を使用するために、レンズフード２０をカメラの撮影レンズ鏡筒１０に装着する場合の動作を説明する。レンズフード２０の花びら部片２１，２２が上下に対向する角度よりも所定角度だけ左回転させた状態で、基端部位２０ｂを撮影レンズ鏡筒１０の先端部位１０ａに対向させ、図５の（ａ）に実線矢印ａで示すようにレンズ光軸方向Ｏに沿ってカメラ本体側（図中下方側）へ押し進める。そうすると、レンズフード２０の基端部位２０ｂに設けられている第１のフード側係合部列Ｋ１における各係合溝２５，２６，２７の相互間に存在している長さＳの空きスペースが、撮影レンズ鏡筒１０の鏡筒側係合部列Ｋ０における長さＶ（Ｓ＞Ｖ）の各係合爪１５，１６，１７に嵌り込む。そこでレンズフード２０を右回転させて係合溝と係合爪との係合を試みる。
【００４３】
このとき図６の（ａ）におけるケースＸに示すように、係合溝２５と係合爪１５とが対応し、係合溝２６と係合爪１６とが対応し、係合溝２７と係合爪１７とが対応している場合には、各ペアとも係合寸法が一致しているため、全ペアが係合可能である。
【００４４】
しかるに図６の（ａ）におけるケースＹに示すように、係合溝２５，２６，２７がケースＸの場合に比べて図中右方へ１２０°ずれた状態になっている場合、すなわち係合溝２７と係合爪１５とが対応し、係合溝２５と係合爪１６とが対応し、係合溝２６と係合爪１７とが対応している場合には、図中中央のペアは係合寸法が一致しており、図中右端のペアは係合寸法そのものは不一致であるが、係合溝側が大きいためそれぞれ係合可能である。しかし図中左端のペアは係合寸法が不一致で且つ係合溝側が小さいため係合不能である。したがって、このケースＹではレンズフード２０を撮影レンズ鏡筒１０に装着することはできない。換言すればケースＹのような態様での装着は禁止される。
【００４５】
また図６の（ａ）におけるケースＺに示すように、係合溝２５，２６，２７がケースＹの場合に比べて更に１２０°図中右方へずれた状態になっている場合、すなわち係合溝２６と係合爪１５とが対応し、係合溝２７と係合爪１６とが対応し、係合溝２５と係合爪１７とが対応している場合には、図中左端のペアは係合寸法が一致しており、図中右端のペアは係合寸法そのものは不一致であるが、係合溝側が大きいためそれぞれ係合可能である。しかし図中中央のペアは係合寸法が不一致で且つ係合溝側が小さいため係合不能である。したがって、このケースＺではレンズフード２０を撮影レンズ鏡筒１０に装着することはできない。換言すればケースＺのような態様での装着は禁止される。
【００４６】
なお図６の（ａ）のように、複数のペアのうち特定の１ペア（本例では２７−１７の組み合わせ）のみの係合寸法を小さく設定した場合には、ケースＹ，Ｚで示したように、係合寸法の小さい係合溝（本例では２７）が係合を禁止する要素（符号＊で表示）として働く。
【００４７】
図６の（ｂ）は、複数のペアのうち特定の１ペア（本例では２５−１５の組み合わせ）のみの係合寸法を大きく設定した場合を示している。この場合にはケースｙ，ｚで示すように、係合寸法の大きな係合爪（本例では１５）が係合を禁止する要素（符号＊で表示）として働く。この点以外は図６の（ａ）の場合と同様であるので詳しい説明は省略する。
【００４８】
かくして図５の（ａ）の場合においては、実線矢印ｂで示すように、第１のフード側係合部列Ｋ１の各係合溝２５，２６，２７が、鏡筒側係合部列Ｋ０の各係合爪１５，１６，１７に係合することになる。相対的には、図５の（ａ）に波線矢印で示すように、鏡筒側係合部列Ｋ０の各係合爪１５，１６，１７が、第１のフード側係合部列Ｋ１の各係合溝２５，２６，２７の内部に挿入され、爪の先端（図中左端）が溝内のストッパＳＴに突き当たったところで停止する。かくして各係合爪１５，１６，１７と各係合溝２５，２６，２７とは、図中破断斜線で示す如く係合状態となる。各係合爪１５，１６，１７と各係合溝２５，２６，２７とが係合完了すると、クリック機構Ｍが働く。このためユーザは係合が完了したことを確認できる。
【００４９】
なお突起Ｍが窪みＮに陥入するまでの間、撮影レンズ鏡筒１０とレンズフード２０との間には突起Ｍの高さに対応する変形歪が生じる。この変形歪は、第１のフード側係合部列Ｋ１と第２のフード側係合部列Ｋ２との間を仕切っている仕切壁Ｒの端面と、撮影レンズ鏡筒１０の外周面との間に存在しているクリアランスＣＡにより、レンズフード２０の弾性変形が許容されることによって実質的に吸収される。
【００５０】
次に、レンズフード２０の使用が終了したのに伴い、レンズフード２０を撮影レンズ鏡筒１０から取り外す場合の動作を説明する。装着状態となっているレンズフード２０を左回転させると、各係合溝２５，２６，２７は、図５の（ａ）に実線矢印ｂで示す方向とは反対の方向へ回動する。このため係合爪１５，１６，１７との係合解除が開始される。各係合爪１５，１６，１７と各係合溝２５，２６，２７との係合解除が始まると同時にクリック機構Ｍが働く。このためユーザは係合解除が開始されたことを確認できる。
【００５１】
第１のフード側係合部列Ｋ１における各係合溝２５，２６，２７の間に存在している空きスペースが、撮影レンズ鏡筒１０の鏡筒側係合部列Ｋ０における各係合爪１５，１６，１７の位置にほぼ一致したところで、図５の（ａ）において実線矢印ａで示す方向とは反対の方向へ、レンズ光軸方向Ｏに沿ってレンズフード２０をカメラ本体から離れる方向へ引っ張って後退させる。こうすることによりレンズフード２０の基端部位２０ｂは、撮影レンズ鏡筒１０の先端部位１０ａから離脱する。
【００５２】
なおレンズフード２０の前後の向きを反対にして撮影レンズ鏡筒１０に装着すれば、レンズフード２０は図１の（ｂ），図２の（ｂ）に示す如く収納状態となる。この場合の動作は、前述した動作と全く同じであるので、その説明は省略する。
【００５３】
（実施形態における特徴点）
［１］実施形態に示されたレンズフード装置は、
基端部位２０ｂが円筒形をなし先端部位２０ａが花びら形をなすレンズフード２０を、カメラにおける撮影レンズ鏡筒１０に対し、バヨネット機構ＢＹを介して着脱自在に装着可能な如く設けられたカメラのレンズフード装置であって、
前記バヨネット機構ＢＹは、前記撮影レンズ鏡筒１０の先端部位１０ａに円周方向に沿って形成された複数の鏡筒側係合部１５，１６，１７と、これらの鏡筒側係合部１５，１６，１７とそれぞれ係合可能な如く、前記レンズフード２０の基端部位２０ｂに円周方向に沿って形成された複数のフード側係合部２５，２６，２７とからなり、互いに緊密に係合し合う前記鏡筒側係合部１５，１６，１７と前記フード側係合部２５，２６，２７とのペアのうち、一つのペアにおける前記撮影レンズ鏡筒１０の光軸方向Ｏの係合寸法が、他のペアにおける当該光軸方向Ｏの係合寸法とは異なる値に設定されていることを特徴としている。
【００５４】
［２］実施形態に示されたカメラのレンズフード装置は、前記［１］に記載のレンズフード装置であって、
前記鏡筒側係合部１５，１６，１７と前記フード側係合部２５，２６，２７とのペアは、係合爪と係合溝との組み合わせにより構成されていることを特徴としている。
【００５５】
［３］実施形態に示されたカメラのレンズフード装置は、前記［１］又は［２］に記載のレンズフード装置であって、
前記鏡筒側係合部１５，１６，１７と前記フード側係合部２５，２６，２７との間に、クリック機構ＣＬが設けられていることを特徴としている。
【００５６】
［４］実施形態に示されたカメラのレンズフード装置は、前記［１］又は［２］または［３］に記載のレンズフード装置であって、
前記レンズフード２０における花びら形をなす先端部位２０ａの端面にエッジ部Ｅが形成され、このエッジ部Ｅを境界として前記レンズフード２０の外周面側に外装用塗装（ＴＡ）が施され内周面側に艶消し塗装（ＴＢ）が施されていることを特徴としている。
【００５７】
［５］実施形態に示されたカメラのレンズフード装置は、前記［４］に記載のレンズフード装置であって、
前記エッジ部Ｅは、尖鋭部Ｐが前記レンズフード２０の内周面Ｉ上に位置する如く、前記端面を傾斜面Ｔとしたものであることを特徴としている。
【００５８】
（変形例）
前述の一実施形態に示されたカメラのレンズフード装置は、下記の変形例を含んでいる。
【００５９】
・鏡筒側係合部を係合溝とし,フード側係合部を係合爪としたもの。
【００６０】
・レンズフードを合成樹脂以外の材料たとえば軽金属等で形成したもの。
【００６１】
【発明の効果】
本発明によれば、下記のような利点を有するカメラのレンズフード装置を提供できる。
【００６２】
（ａ）係合爪のサイズが小さく、カメラの外観不良をきたすおそれがない。
【００６３】
（ｂ）撮影レンズ鏡筒に対するレンズフードの装着ミスを未然に防止できる。その結果、レンズフードが間違った態様で装着されたまま撮影が行なわれるおそれがない。
【図面の簡単な説明】
【図１】本発明の一実施形態に係るレンズフード装置を備えた電子カメラの外観を示す図で、（ａ）はレンズフードが電子カメラの撮影レンズ鏡筒に装着された状態を示す斜視図、（ｂ）はレンズフードが電子カメラの撮影レンズ鏡筒の外周面上に収納された状態を示す斜視図。
【図２】本発明の一実施形態に係るレンズフード装置におけるバヨネット機構ＢＹの概略的構成を示す図で、（ａ）はレンズフードが電子カメラの撮影レンズ鏡筒に装着された状態を示す要部断面図、（ｂ）はレンズフードが電子カメラの撮影レンズ鏡筒に逆向きに収納された状態を示す示す要部断面図。
【図３】本発明の一実施形態に係るレンズフード装置におけるレンズフードの具体的構造を示す図で、（ａ）は図中上方の一部を破断して示す正面図、（ｂ）は上記（ａ）を矢印Ｂの方向から見た図であって図中左半面を切断して示す側面図。
【図４】本発明の一実施形態に係るレンズフード装置におけるレンズフードの具体的構造を示す図で、（ａ）は図３の（ａ）を矢印Ａの方向から見た図であって図中上半面を切断して示す側面図、（ｂ）は図４の（ａ）の一部を切欠し且つ拡大して示す断面図である。
【図５】本発明の一実施形態に係るレンズフード装置におけるバヨネット機構の構成を示す図で、（ａ）は第１のフード側係合部列及び第２のフード側係合部列と、鏡筒側係合部との関係を示す展開図、（ｂ）はフード側係合部である係合溝の一つと鏡筒側係合部である係合爪の一つとが互いに係合し合った状態を正面からみた部分断面図。
【図６】本発明の一実施形態に係るレンズフード装置におけるバヨネット機構の作用説明図で、（ａ）は係合溝と係合爪とからなる複数のペアのうち、特定の１ペアのみの係合寸法を小さく設定した場合の例を示す図、（ｂ）は係合溝と係合爪とからなる複数のペアのうち、特定の１ペアのみの係合寸法を大きく設定した場合の例を示す図。
【符号の説明】
１…カメラ本体
１０…撮影レンズ鏡筒
１５，１６，１７…係合爪
２０…レンズフード
２０ａ…レンズフードの先端部位
２０ｂ…レンズフードの基端部位
２１，２２，２３，２４…花びら部片
２５，２６，２７…係合溝
ＢＹ…バヨネット機構
Ｋ０…鏡筒側係合部列
Ｋ１，Ｋ２…第１，第２のフード側係合部列
Ｒ…仕切り壁
ＣＬ…クリック機構
Ｍ…突起
Ｎ…窪み
ＳＴ…ストッパ
ＳＰ…スペーサ
ＴＡ…外面処理層
ＴＢ…内面処理層
Ｅ…エッジ部
Ｐ…尖鋭部
Ｔ…傾斜面
Ｏ…撮影レンズ光軸
Ｖ…係合爪の長さ
Ｓ…空きスペースの長さ
ｔ１，ｔ２…係合爪の厚み寸法（係合寸法）
【図１】
0004334722.tif 000002
【図２】
0004334722.tif 000003
【図３】
0004334722.tif 000004
【図４】
0004334722.tif 000005
【図５】
0004334722.tif 000006
【図６】
0004334722.tif 000007